(57)【要約】【課題】  風向変更装置に付着した結露水の吹出口からの滴下を防止できる空気調和機を提供する。【解決手段】  室内ユニット１の吹出口４に縦ルーバ３６ａと横ルーバ３６ｂとからなる風向変更装置３６と、該風向変更装置３６に付着する露を回収する露回収機構７０とが設けられる。露回収機構７０は、吹出口４の下面に吹出方向に垂直に形成された溝７１と、溝に連通する縦穴７２とを備え、縦穴７２の出口が吸湿性のある断熱材６４に連通されている。結露水は断熱材６４に吸収されることにより、滴下が防止される。【選択図】  図７
2008138892.tif 000002
【特許請求の範囲】
【請求項１】
室内ユニットの吹出口に縦ルーバと横ルーバとからなる風向変更装置と、該風向変更装置に付着する露を回収する露回収機構とが設けられ、前記露回収機構は、前記吹出口の下面に吹出方向に垂直に溝が形成されてなることを特徴とする空気調和機。
【請求項２】
前記風向変更装置の前側に吹出口から吹出す風を遠方に導く導風パネルが開閉回動自在に設けられたことを特徴とする請求項１に記載の空気調和機。
【請求項３】
前記導風パネルが、下端がケーシングに第１の回動軸周りに回動自在に軸支され、かつ、主に吹出口を覆うカバーパネルとこれに連接する延長パネルとに分割され、さらに、カバーパネルが延長パネルに対して第２の回動軸周りに回動自在に連結されたことを特徴とする請求項２に記載の空気調和機。
【請求項４】
前記溝が縦ルーバに結露する露を回収できるよう縦ルーバの回動軸よりも風下側に配設されたことを特徴とする請求項１に記載の空気調和機。
【請求項５】
前記溝に連通して露回収用の縦穴が形成されたことを特徴とする請求項１に記載の空気調和機。
【請求項６】
前記溝が、縦穴に向かう下り傾斜に設定されたことを特徴とする請求項５に記載の空気調和機。
【請求項７】
前記吹出口の下面に吸湿性のある断熱材が配設され、前記縦穴の出口が断熱材まで延長されたことを特徴とする請求項５に記載の空気調和機。
【発明の詳細な説明】
【技術分野】
【０００１】
本発明は、室内ユニットの風向変更装置に付着する露の回収機構を備えた空気調和機に関するものである。
【背景技術】
【０００２】
特許文献１、２には、空気調和機の室内ユニットの吹出口に複数の縦ルーバが回動自在に軸支され、これら複数の縦ルーバが連結板によって連動連結された風向変更装置が開示されている。
【特許文献１】特開平８−２８５３６０号公報
【特許文献２】特開平１０−２６３９６号公報
【発明の開示】
【発明が解決しようとする課題】
【０００３】
しかしながら、吹出口の風の流れによって、冷風と室内の暖かい空気とが接触して縦ルーバに結露する場合がある。この場合、特許文献１、２に開示された空気調和機では、縦ルーバに付着した露を回収する手段がなく、結局のところ、水滴として吹出口の風に押されて吹出口から滴下する場合があった。
【０００４】
また、室内が非常に多湿の条件下の場合にも、冷房による除湿作用で十分湿度が下がり切らず、結果として、縦ルーバに結露し、上記と同様の現象が生じる場合があった。
【０００５】
本発明は、上記に鑑み、風向変更装置に付着した露を効果的に回収することができる空気調和機の提供を目的としている。
【課題を解決するための手段】
【０００６】
上記目的を達成するため、本発明に係る空気調和機は、室内ユニットの吹出口に縦ルーバと横ルーバとからなる風向変更装置と、該風向変更装置に付着する露を回収する露回収機構とが設けられ、前記露回収機構は、前記吹出口の下面に吹出方向に垂直に溝が形成されてなることを特徴とする。
【０００７】
上記構成によると、風向変更装置の縦ルーバや横ルーバに結露が生じても、その結露水を露回収機構として吹出口下面に形成された溝に導いて回収することができる。
【０００８】
風向変更装置における結露は、例えば、縦ルーバの左右吹出し角度を極端に左側または右側に振った場合、吹出口の端部側の縦ルーバでは、一面側に冷風が当たる一方、その裏側の面には冷風が当たらないことがある。このような場合、縦ルーバの両面間の温度差によって縦ルーバの一面に結露が生じる。横ルーバの場合、その上下面に冷風が当たるため、ほとんど結露が発生することがないが、片面に冷風が当たらない設定の場合、結露が生じる。
【０００９】
さらに、風向変更装置の前側に吹出口から吹出す風を遠方に導く導風パネルが開閉回動自在に設けられた空気調和機では、導風パネルが垂直下方に開回動している場合、冷風が風向変更装置部分に滞留し、結露が発生しやすくなる。このような場合、吹出口の溝によって結露水を有効に回収することができる。
【００１０】
さらに、導風パネルは、下端がケーシングに第１の回動軸周りに回動自在に軸支され、かつ、主に吹出口を覆うカバーパネルとこれに連接する延長パネルとに分割され、さらに、カバーパネルが延長パネルに対して第２の回動軸周りに回動自在に連結されている場合、カバーパネルを開回動して垂直姿勢あるいはわずかに開放した姿勢をとるとき、吹出口からの吹出す冷風の風向が制限され、風向変更装置に結露を生じることがある。したがって、このような導風パネル付きの空気調和機に本発明の露回収機構を採用するのが好ましい。
【００１１】
溝は縦ルーバに結露した水を回収できるよう縦ルーバの回動軸よりも風下側に配設される。結露水は溝に回収されるので、吹出口より滴下するのを防止できる。
【００１２】
溝に連通して露回収用の縦穴が形成される。溝に回収した結露水は縦穴を通して下方に導くことができる。
【００１３】
また、溝が縦穴に向かう下り傾斜に設定される。これにより、溝に回収された結露水が縦穴側に流れやすくなる。
【００１４】
さらに、吹出口の下面に吸湿性のある断熱材が配設され、前記縦穴の出口が断熱材まで延長される。縦穴から下方に落下した結露水は、断熱材側に流れる。このとき、断熱材は吸湿性の部材から構成されているので、結露水を吸湿性の高い断熱材に蓄えられ、滴下することはない。
【発明の効果】
【００１５】
以上のように、本発明によると、風向変更装置に結露が生じても、その結露水を露回収機構として吹出口下面に形成された溝に回収することができ、さらに、溝から縦穴を通じて吸湿性の高い断熱材に吸収されるので、下方に滴下するのを防止することができる。
【発明を実施するための最良の形態】
【００１６】
＜第１の実施形態＞
図１は本実施形態のセパレート型空気調和機の室内ユニットにおける導風パネルの覆い姿勢を示す断面図、図２は同じくその斜視図である。図３は室内ユニットのカバーパネルの開姿勢を示す断面図、図４は同じくその斜視図である。図５は室内ユニットにおける導風パネルの導風姿勢を示す断面図、図６は同じくその斜視図である。
【００１７】
室内ユニット１は、ケーシング２の上面に空気の吸込口３が形成され、ケーシング２の前面下部に空気の吹出口４が形成される。
【００１８】
ケーシング２は、後ろ側のキャビネット２ａと、前側の前面パネル２ｂとから箱状に形成される。キャビネット２ａは、室内の壁面に取り付けられる板状部材であって、その前側には熱交換器５から滴下する露を受けるための前後のドレンパン６０，６１が配設される。前後のドレンパン６０，６１は、その端部の連結板により連結され、かつキャビネット２ａと一体化されている。そして、前後のドレンパン６０，６１の下端に夫々連続してケーシング２の内部空気通路を構成する円弧状の前後の通路壁６２，６３が一体的に形成される。ドレンパン６０，６１及び通路壁６２，６３は、金属製あるいは樹脂製部材から構成される。
【００１９】
通路壁６２，６３の裏面側には、発泡ポリウレタンフォームからなる断熱材６４が貼り付けられる。
【００２０】
この前後のドレンパン６０，６１の上側には熱交換器５が設置される。また、通路壁６２，６３の間には、室内ファン６が配置される。
【００２１】
熱交換器５は、４つの熱交換器５ａ〜５ｄから構成され、これらのうち３つの熱交換器５ａ、５ｂ、５ｃが前後および上側の三方から室内ファン６を囲むように逆Ｖ字形に配置される。後側に位置する熱交換器５ｃの背面側には、さらに一つの補助熱交換器５ｄが後ろ側熱交換器５ｃと平行に配置される。各熱交換器５は、熱媒管と多数のフィンとから直方体形状に形成され、熱媒管の端部同士で他の熱交換器と接続され、冷凍サイクルの一部を構成するようになっている。
【００２２】
また、例えば、後ろ側の熱交換器５ｃ、５ｄと前側の熱交換器５ａ、５ｂとの間に切換弁（不図示）を設け、除湿運転時には、後ろ側の熱交換器５ｃ、５ｂを凝縮器として使用し、前側の熱交換器５ａ，５ｂで湿気を除去した空気を、後ろ側熱交換器５ｃ、５ｄの排熱を利用して暖めて吹出口４から放出する再熱除湿もできるようになっている。
【００２３】
室内ファン６は、クロスフローファンであって、その回転軸の軸方向が左右方向とされる。室内ファン６は、内部空気通路において熱交換器５よりも吹出口４側に配置される。
【００２４】
そして、内部空気通路は、ケーシング上面の吸込口３から吸込んだ室内の空気をフィルタ２２を通した後、熱交換器５で熱交換し、冷風又は温風として室内ファン６によって吹出口４から室内側に放出される。この内部空気通路において、吹出口近傍で正負のイオンを放出し、この正負の除菌イオンを吹出される空気と共に室内に放出されるように、イオン発生装置４５を吹出口４の近傍に設けることができる。
【００２５】
一方、前面パネル２ｂは、背面側が開放した箱状の部材であって、前面下部に左右幅方向に長い吹出口４が形成され、また、上面に同じく左右幅方向に長い吸込口３が形成される。
【００２６】
吹出口４の奥側には、内部空気通路を形成する前後の通路壁６２，６３に挟まれて風向変更装置３６が配設される。さらに、吹出口４には、運転停止時に吹出口４を覆い、運転時に吹出口４から吹出す風を遠方まで届くように導く導風パネル７が設けられる。
【００２７】
図８は風向変更装置の斜視図、図９は図８の要部拡大斜視図である。図に示すように、風向変更装置３６は、縦ルーバ３６ａと横ルーバ３６ｂとを備えた周知構造のものである。縦ルーバ３６ａは、複数個設けられ、吹出口４の左右方向に配列される。各縦ルーバ３６ａは、図７に示すように、その後端が前後の通路壁６２，６３のうち、後ろ側の通路壁６２に縦方向の回動軸６５周りに回転自在に軸支される。縦ルーバ３６ａの下面には、その前後方向の中間位置に連結ピン６６が形成され、該連結ピン６６が左右方向に配置された連結棒６７に回転自在に連結され、複数の縦ルーバ３６ａが連動して回動できるようになっている。
【００２８】
そして、縦ルーバ３６ａの一つには、その縦軸６５に回動駆動用のモータ（不図示）がギヤ機構を介して連結され、リモコンからの制御信号により縦ルーバ３６ａが左右方向の風向を変更可能に回動できるようになっている。
【００２９】
横ルーバ３６ｂは、図７に示すように、縦ルーバ３６ａよりも前方で前側のドレンパン６１の裏面若しくは前側の通路壁６３から下方に垂設されたブラケット６８に横軸６９周りに前後方向に揺動自在に設けられ、図示しないモータにより横軸周りに揺動され、上下方向の吹出し方向を変更可能とされている。
【００３０】
そして、後ろ側の通路壁６２には、縦ルーバ３６ａの下方に風向変更装置３６に付着する露を回収する露回収機構７０が設けられる。露回収機構７０は、吹出口４の後ろ通路壁６２の下面に吹出方向に垂直（左右方向）に形成された溝７１と、溝の一箇所又は複数箇所に形成された露回収用の縦穴７２とを備えている。縦穴７２の出口は、前記断熱材６４に連通している。
【００３１】
溝７１は、吹出口４の左右方向の全長にわたって形成される。縦穴７２は、溝の端部あるいは複数箇所に間隔をおいて形成される。溝７１は縦穴７２に向かう下り傾斜に設定され、溝７１に回収された結露水を縦穴７２に導きやすくしている。
【００３２】
縦穴７２の出口と接触する断熱材６４は、吸湿性のある断熱材が使用される。例えば、連続気泡発泡体からなるポリウレタンフォームが例示できる。連続気泡である分、断熱性は多少落ちるが、縦穴７２から流れ落ちた結露水を吸湿することができる。断熱材６４の下面は、防水性のシート等を貼り付け、吸湿した結露水が、それ以上滴下しないように工夫することができる。
【００３３】
溝７１の形成位置は、縦ルーバ３６ａに結露した水を回収できるよう縦ルーバ３６ａの回動軸６５よりも風下側（前側）に配設される。さらに、連結棒６７の連結ピン６６を伝って滴下する結露水を回収するため、連結ピン６６の直下付近に形成するのが好ましい。
【００３４】
また、前面パネル２ｂの吸込口３に対面して吸込んだ室内の空気から塵埃を除去するフィルタ２１が設けられる。フィルタ２１は、極細繊維がネット状に編成又は織成され、吸込口３に対面して配置することにより、吸引した空気から塵や埃を除去できるようになっている。
【００３５】
このフィルタ２１を清掃するフィルタ清掃装置２２が設けられる。フィルタ清掃装置２２は、ケーシング２の上面前側と前面上側と前側の熱交換器５ａ、５ｂとで囲まれた空間部に配置される。フィルタ清掃装置２２は、ケーシング２内でフィルタ２１を移動させる側面視でＵ字形に湾曲した移動案内路２４と、該移動案内路２４に面してフィルタに付着した塵埃を吸引除去する塵埃除去ボックス２５と、フィルタ２１を移動案内路２４に沿って移動させる駆動手段２６とを備えている。
【００３６】
このフィルタ清掃装置２２では、モータ及びギヤ機構からなる駆動手段２６を駆動してフィルタを移動案内路２４に沿って移動させつつ、塵埃除去ボックス２５の端部から吸引ファン（不図示）によって、フィルタ２１と略平行方向（左右方向）に空気を流すことで、フィルタ２１に付着した塵埃を除去する。この際、塵埃除去ボックス２５内に回転ブラシを設け、フィルタ２１に付着した塵埃を掻き取るようにする。
【００３７】
また、導風パネル７は、第１の回動軸１０周りに回動により、吹出口４から斜め上方向に配置されて吹出口４から吹出す空気を斜め上方向に導く導風姿勢と、ケーシング２の前面に沿って配置され、吹出口４を含むケーシングの前面の少なくとも下半分を覆う覆い姿勢とに切換え自在とされる。
【００３８】
さらに、導風パネル７は、主に吹出口４を覆うカバーパネル８と、該カバーパネル８の先端部に連続して設けられた延長パネル９とに分割される。カバーパネル８は延長パネル９に対して第２の回動軸１１の周りに開閉回動自在に支持される。
【００３９】
そして、カバーパネル８は、延長パネル９をケーシング２の前面に沿わせた覆い姿勢を保ちつつ、第２の回動軸１１の周りの回動により、吹出口４を覆う閉姿勢と、下端が垂直方向に開いた開姿勢とに切り換え自在とされる。カバーパネル８の開姿勢は、主に暖房運転時や局所的に冷風を吹出させたい急速冷房運転時に、吹出口４から吹出した風を垂直下方に導くときに採用される。
【００４０】
カバーパネル８及び延長パネル９には、その導風面側に発泡ポリウレタンフォームからなる断熱材７５が形成され、導風パネル７に結露が生じるのを防止できるようになっている。
【００４１】
上記構成においては、運転停止時には、導風パネル７がケーシング２の前面に沿ってケーシング２のほぼ全面に配置された状態となっている。冷房運転時に導風パネル７を第１の回動軸１０周りに回動して導風姿勢にすると、吹出口４から吹出した空気は、略水平方向の導風パネル７により、略水平方向ないし斜め上方へ遠方まで飛ばすことができる。したがって、室内ユニットを天井近くの壁面に据え付けた場合、吹出口４から吹出した冷風は天井面に沿って室内全体に行き渡り、室内全体を冷房することができる。
【００４２】
一方、暖房運転時や急速冷風を行いたい場合、カバーパネル８を第２の回動軸１１周りに開回動すると、カバーパネル８が垂直方向に向き、吹出口４から吹出した風が下方に導かれる。カバーパネル８の回動姿勢は種々変更することができる。例えば、カバーパネル８を最も開回動した「斜め下」姿勢から「下向き」、「真下」、そして「後向き」姿勢と順次閉方向に回動することができる。
【００４３】
後ろ向き姿勢を維持した場合、吹出口４から吹出す冷風の吹出し方向が壁側に制限され、吹出口４の風向変更装置３６の縦ルーバ３６ａに結露が発生することがある。
【００４４】
一方、風向変更装置３６において、縦ルーバ３６ａを回動駆動することにより、風向を左右方向で変更することができる。そのため、室内ユニット１の室内での壁取り付け位置によって、吹出口４からの風吹出し方向を変更することができる。
【００４５】
ただ、縦ルーバ３６ａの風向姿勢を長時間保持しておくと、縦ルーバ３６ａの両面での温度差によりルーバ表面に結露を生じることがある。その結露水はルーバ３６ａを伝って下方に滴下するが、内部空気通路の後ろ側の通路壁６２に溝７１を形成しているので、結露水は溝７１に回収される。この溝７１は最も滴下しやすい縦ルーバ３６ａの回動軸６５よりも前側に形成されているので、回収が容易となり、吹出口４より滴下するのを防止できる。
【００４６】
溝７１に回収した結露水は、溝の傾斜に沿って流れて縦穴７２から吸湿性のある断熱材６４に導かれる。断熱材６４は吸湿性があるため、結露水を断熱材に吸収され、下方に滴下することがなくなる。
【００４７】
＜第２の実施形態＞
図１０及び図１１は、本発明の第２実施形態を示すセパレート型空気調和機の室内ユニットの断面図である。図１０は吹出口を覆う導風パネルの閉姿勢を示し、図１１は同じく導風パネルの開姿勢を示す。
【００４８】
本実施形態における室内ユニット１は、ケーシング２の前面下部に形成された吹出口４を覆う導風パネル７を備え、該導風パネル７は、その上端に回動軸１０が形成されており、ケーシング２の吹出口４上端よりも上方位置で回動軸１０を受ける軸受部に回動自在に軸支されている。
【００４９】
導風パネル７は、吹出口４を覆う覆い姿勢と、覆い姿勢からの回動角度が最も大きく略水平ないしそれよりも斜め上方に開放した導風姿勢と、両姿勢の中間で吹出口４から吹出した空気を下方に導く垂直姿勢との間で回動切換え自在とされる。その他の構成は上記第１の実施形態と同様である。
【００５０】
上記構成においては、一枚の導風パネル７が上端の回動軸１０周りに回動して、最も開放した「斜め下」姿勢をとり、順次閉方向に回動して「下向き」「真下」「後ろ向き」姿勢をとることができる。導風パネル７の長時間の「真下姿勢」や「後ろ向き」姿勢では、吹出口４付近に冷風が滞留し、風向変更装置３６付近に結露が生じる場合もあるが、露回収機構があるため、結露水が吹出口４から下方に滴下するのを防止することができる。
【００５１】
なお、本発明は、上記実施形態に限定されるものではなく、本発明の範囲内で多くの修正・変更を加えることができるのは勿論である。
【図面の簡単な説明】
【００５２】
【図１】本発明の第１実施形態を示す空気調和機の室内ユニットの運転停止状態を示す断面図
【図２】図１の室内ユニットの外観を示す斜視図
【図３】室内ユニットの導風パネルを開放した導風姿勢を示す断面図
【図４】図３の室内ユニットの外観を示す斜視図
【図５】室内ユニットの導風パネルのうちカバーパネルを開回動した状態を示す断面図
【図６】図５の室内ユニットの外観を示す斜視図
【図７】吹出口の拡大断面図
【図８】風向変更装置の斜視図
【図９】図８の要部拡大斜視図
【図１０】本発明の第２実施形態を示す空気調和機の室内ユニットの断面図
【図１１】室内ユニットの導風パネルを開回動した状態を示す断面図
【符号の説明】
【００５３】
１      室内ユニット
２      ケーシング
３      吸込口
４      吹出口
５      熱交換器
６      室内ファン
７      導風パネル
８      カバーパネル
９      延長パネル
１０    第１回動軸
１１    第２回動軸
２１    フィルタ
２２    フィルタ清掃装置
２４    移動案内路
２５    塵埃除去ボックス
２６    駆動手段
３３    フィルタ挿入口
３６    風向変更装置
３６ａ  縦ルーバ
３６ｂ  横ルーバ
６０    後ドレンパン
６１    前ドレンパン
６２    後通路壁
６３    前通路壁
６４    断熱材
６５    回動軸
６６    連結ピン
６７    連結棒
７０    露回収機構
７１    溝
７２    縦穴
【図１】
2008138892.tif 000003
【図２】
2008138892.tif 000004
【図３】
2008138892.tif 000005
【図４】
2008138892.tif 000006
【図５】
2008138892.tif 000007
【図６】
2008138892.tif 000008
【図７】
2008138892.tif 000009
【図８】
2008138892.tif 000010
【図９】
2008138892.tif 000011
【図１０】
2008138892.tif 000012
【図１１】
2008138892.tif 000013